(57)【特許請求の範囲】
【請求項１】
測定対象物に固定され、該測定対象物の温度および振動の少なくとも一方を検出するセンサ本体と、
上記センサ本体の検出信号を外部機器へ送信する通信機と、
上記センサ本体と上記通信機とを接続する接続部材とを備え、
上記接続部材は、少なくとも２つの曲げ管と、該２つの曲げ管を接続する一のユニオン継手と、前記２つの曲げ管のうち一方の曲げ管の、前記一のユニオン継手と反対側の端部に設けられた別のユニオン継手とを有している
ことを特徴とするセンサ装置。
【請求項２】
請求項１に記載のセンサ装置において、
前記通信機又は前記センサ本体は、前記別のユニオン継手、又は、前記一のユニオン継手及び前記別のユニオン継手の何れとも異なるユニオン継手を介して前記接続部材と接続されている
ことを特徴とするセンサ装置。
【発明の詳細な説明】
【技術分野】
【０００１】
本願は、測定対象物に固定して測定対象物の振動や温度を検出するセンサ装置に関するものである。
【背景技術】
【０００２】
例えば特許文献１に開示されているように、測定対象物に固定されて温度や振動を検出するセンサが知られている。また、このようなセンサと信号線で接続され、センサによって検出された温度等に関する信号を処理し外部機器へ送信する通信機が、例えば特許文献２に開示されている。
【先行技術文献】
【特許文献】
【０００３】
【特許文献１】特開２００８−１７０３８８号公報
【特許文献２】特開２００９−１３３７５５号公報
【発明の概要】
【発明が解決しようとする課題】
【０００４】
ところで、上述したようなセンサおよび通信機では、センサと通信機とを波形状のフレキシブル管で接続し、センサからの信号線をフレキシブル管内に通して通信機に接続する場合がある。こうすることで、通信機の位置や向きを任意に調整することができる。しかしながら、この場合、特にフレキシブル管の端部、即ちフレキシブル管におけるセンサおよび通信機との接続部が損傷する虞があった。つまり、フレキシブル管は強度が比較的低いため、センサが固定される測定対象物の振動によりフレキシブル管が疲労破壊する虞があった。
【０００５】
本願に開示の技術は、かかる事情に鑑みてなされたものであり、その目的は、センサ本体と通信機とが接続されるセンサ装置において、通信機の位置や向きを調整可能としつつも、接続部の損傷を抑制することが可能な通信機およびセンサ本体の接続構成を構築することにある。
【課題を解決するための手段】
【０００６】
本願のセンサ装置は、センサ本体と、通信機と、接続部材とを備えている。上記センサ本体は、測定対象物に固定され、該測定対象物の温度および振動の少なくとも一方を検出するものである。上記通信機は、上記センサ本体の検出信号を外部機器へ送信するものである。上記接続部材は、上記センサ本体と上記通信機とを接続するものであり、２つの曲げ管と、該２つの曲げ管を接続するユニオン継手とを有している。
【発明の効果】
【０００７】
本願のセンサ装置によれば、センサ本体と通信機とを接続する接続部材が、２つの曲げ管と、該２つの曲げ管を接続するユニオン継手とを有している。つまり、接続部材は互いがユニオン継手によって接続された２つの曲げ管を有している。そのため、２つの曲げ管の少なくとも一方について、ユニオン継手の軸を中心に回転させ任意の向きに接続することができる。これにより、従来のように接続部材としてフレキシブル管を用いなくても、通信機の位置や向きを任意に調整することができる。したがって、通信機の位置や向きを調整可能としつつも、接続部の損傷を抑制することが可能な通信機およびセンサ本体の接続構成を構築することができる。
【図面の簡単な説明】
【０００８】
【図１】図１は、実施形態に係るセンサ装置の概略構成を示す正面図である。
【図２】図２は、実施形態に係るセンサ装置の概略構成を示す正面図である。
【０００９】
以下、本願の実施形態について図面を参照しながら説明する。なお、以下の実施形態は、本質的に好ましい例示であって、本願に開示の技術、その適用物、あるいはその用途の範囲を制限することを意図するものではない。
【００１０】
図１に示すように、本実施形態のセンサ装置１は、センサ本体２と、通信機３と、接続部材４とを備えている。
【００１１】
センサ装置１では、センサ本体２が図示しない固定器具に連結して測定対象物（例えば、スチームトラップ）に固定される。センサ本体２は、測定対象物の振動および温度の２つを検出する、いわゆる固定タイプのセンサである。通信機３は、アンテナ３ａを有する無線の通信機である。通信機３は、図示しないが、信号処理回路や発信部が内蔵されている。接続部材４は、センサ本体２と通信機３とを接続するものである。センサ装置１は、例えば概ね上下方向に延びる状態で測定対象物に固定される。
【００１２】
図１に示すように、本実施形態の接続部材４は、３つの管４１，４２，４３と、４つのユニオン継手４４，４５，４６，４７とで構成されている。
【００１３】
３つの管４１，４２，４３は、何れも曲げ管である。具体的に、第１管４１は、直線部を有し、その両端４１ａ，４１ｂが屈曲した曲げ部となっている。第１管４１の両端４１ａ，４１ｂは、互いに同じ方向（側）に４５°屈曲している。第２管４２および第３管４３は、何れも４５°屈曲したエルボ管である。第２管４２は、一端（上端）が第１ユニオン継手４４によって通信機３に接続され、他端（下端）が第２ユニオン継手４５によって第１管４１の一端（上端）に接続されている。第３管４３は、一端（上端）が第３ユニオン継手４６によって第１管４１の他端（下端）に接続され、他端（下端）が第４ユニオン継手４７によってセンサ本体２に接続されている。
【００１４】
以上のように、本実施形態の接続部材４は、互いが第２ユニオン継手４５によって接続された２つの曲げ管（第１管４１、第２管４２）と、互いが第３ユニオン継手４６によって接続された２つの曲げ管（第１管４１、第３管４３）を有している。
【００１５】
上述のように構成された接続部材４では、ユニオン継手４４，４５，４６，４７によって、３つの管４１，４２，４３の各々が任意の向きで接続可能となっている。具体的に、第２管４２は、第１ユニオン継手４４の中心軸Ｘ１または第２ユニオン継手４５の中心軸Ｘ２を中心に回転（回動）することにより任意の向きに接続される。第１管４１は、第２ユニオン継手４５の中心軸Ｘ２または第３ユニオン継手４６の中心軸Ｘ３を中心に回転（回動）することにより任意の向きに接続される。第３管４３は、第３ユニオン継手４６の中心軸Ｘ３または第４ユニオン継手４７の中心軸Ｘ４を中心に回転（回動）することにより任意の向きに接続される。
【００１６】
このように、３つの管４１，４２，４３の各々を任意の向きで接続することにより、例えば図２に示すように接続部材４を構成することができる。これにより、他の機器や配管５との干渉を防ぎつつ、センサ本体２と通信機３とを接続することができ、通信機３の位置や向きを調整することができる。また、本実施形態の接続部材４では、通信機３を第１ユニオン継手４４の中心軸Ｘ１を中心に回転（回動）することによっても、通信機３自体の向きを調整することができる。また、センサ本体２を第４ユニオン継手４７の中心軸Ｘ４を中心に回転（回動）することによって、センサ本体２の向きも調整することができる。
【００１７】
以上のように、上記実施形態のセンサ装置１によれば、センサ本体２と通信機３とを接続する接続部材４が、２つの曲げ管（第１管４１、第２管４２、第３管４３）と、該２つの曲げ管を接続するユニオン継手４５，４６とを有しているため、２つの曲げ管の少なくとも一方について、ユニオン継手４５，４６の中心軸Ｘ２，Ｘ３を中心に回転させ任意の向きに接続することができる。これにより、従来のように接続部材としてフレキシブル管を用いなくても、通信機３の位置や向きを任意に調整することができる。したがって、通信機３の位置や向きを調整可能としつつ、接続部材４の損傷を抑制することが可能なセンサ本体２および通信機３の接続構成を構築することができる。
【００１８】
また、上記実施形態のセンサ装置１では、通信機３を第１ユニオン継手４４によって第１管４１に接続するようにしたため、通信機３自体も任意の向きに回転（回動）させて接続することができる。
【００１９】
また、上記実施形態のセンサ装置１では、センサ本体２を第４ユニオン継手４７によって第３管４３に接続するようにしたため、センサ本体２自体も任意の向きに回転（回動）させて接続することができる。
【００２０】
なお、上記実施形態の接続部材４は、単なる一例であり、互いがユニオン継手によって接続された２つの曲げ管を有する構成であれば如何なるものであってもよい。例えば、上記実施形態において、第１ユニオン継手４４および第４ユニオン継手４７を通常の管継手で構成するようにしてもよいし、第１ユニオン継手４４、第２管４２および第２ユニオン継手４５を省略し、第１管４１の上端を曲げ部とせずに直線状に形成して通信機３に直接繋ぐようにしてもよい。
【００２１】
また、上記実施形態では、センサ本体２が振動および温度の一方のみを検出するものであってもよい。
【産業上の利用可能性】
【００２２】
本願に開示の技術は、測定対象物に固定して測定対象物の振動等を検出するセンサ装置について有用である。
【符号の説明】
【００２３】
１        センサ装置
２        センサ本体
３        通信機
４        接続部材
４１      第１管（曲げ管）
４２      第２管（曲げ管）
４３      第３管（曲げ管）
４５      第２ユニオン継手（ユニオン継手）
４６      第３ユニオン継手（ユニオン継手）
【図１】
0006472264.tif 000002
【図２】
0006472264.tif 000003